(57)【要約】【課題】  電気かみそりの使用時に発生する騒音と振動を軽減する。【解決手段】  内刃２を具えた本体ケース１の内刃２側端部に、防振部材８が取り付けられており、外刃４を具えた刃枠３の端面及び／又は内面が防振部材８に密接している。  防振部材８が緩衝して、本体ケース１から刃枠３側へ振動の伝達、及び刃枠３側から本体ケース側への振動の伝達を防止して、電気かみそり全体の振動を低減できる。又、騒音の低減にも効果がある。【選択図】図４
2005304646.tif 000002
【特許請求の範囲】
【請求項１】
内刃(２)及び内刃駆動装置(５)を具えた本体ケース(１)に、外刃(４)を具えた刃枠(３)を脱着可能に被せた電気かみそりに於いて、本体ケース(１)の刃枠取付け部(13)に、１又は複数個の防振部材(８)が取り付けられ、防振部材(８)は、刃枠(３)の端面及び／又は内面に密接している電気かみそり。
【請求項２】
一部の防振部材(８)は刃枠(３)の端面に密接し、残りの防振部材(８)は刃枠(３)の内面に密接している請求項１に記載の電気かみそり。
【請求項３】
本体ケース(１)の刃枠取付け部(13)上に形成した防振部材収容部(12)に防振部材(８)が嵌まって、防振部材(８)は刃枠(３)との接触面を露出させている請求項１又は２に記載の電気かみそり。
【請求項４】
本体ケース(１)の刃枠取付け部(13)の内側に被せた蓋板(６)が、防振部材(８)に部分的に被さって防振部材(８)の抜け止めを図っている請求項１乃至３の何れかに記載の電気かみそり。
【発明の詳細な説明】
【技術分野】
【０００１】
本発明は、電気かみそりの内刃の運動によって発生する振動や騒音を軽減できる電気かみそりに関するものである。
【背景技術】
【０００２】
従来の電気かみそりは、内刃及び内刃駆動装置を具えた本体ケースに、外刃を具えた刃枠を脱着可能に被せて構成されている(特許文献１)。
外刃に設けた多数の小孔を貫通した髭を、内刃の往復又は回転により、外刃と共同して剪断する。
【０００３】
【特許文献１】特開２００１−２３２０７８号公報
【発明の開示】
【発明が解決しようとする課題】
【０００４】
内刃の運動による振動や騒音の発生は避けられない。特に内刃が往復運動する電気かみそりは、振動が大きく、振動による機器の不良や、振動が手に伝わることによる不快感がある。
又、部品寸法の誤差によって、外刃取付け用刃枠と本体ケースとの嵌合不良が生じ、振動や騒音の発生を助長することがあった。
本発明は、上記問題を解決できる電気かみそりを明らかにするものである。
【課題を解決するための手段】
【０００５】
本発明は、内刃(２)及び内刃駆動装置(５)を具えた本体ケース(１)に、外刃(４)を具えた刃枠(３)を脱着可能に被せた電気かみそりに於いて、本体ケース(１)の刃枠取付け部(13)に、１又は複数個の防振部材(８)が取り付けられ、該防振部材(８)は、刃枠(３)の端面及び／又は内面に密接している。
【発明の効果】
【０００６】
本体ケース(１)上の防振部材(８)が、刃枠(３)の端面及び／又は内面に密接しているためむ、防振部材(８)が緩衝して、本体ケース(１)から刃枠(３)側へ振動の伝達、及び刃枠(３)側から本体ケース側への振動の伝達を防止して、電気かみそり全体の振動を低減できる。  又、本体ケース(１)と刃枠(３)との間に防振部材(８)を介在させることで騒音を低減させることができる。
更に、刃枠(３)と本体ケース(１)の嵌合部に、寸防誤差による嵌合不良が生じる様な場合でも、刃枠(３)に密接する防振部材(８)の弾性変形によって、寸法誤差を吸収して嵌合不良をなくすことができる。
【発明を実施するための最良の形態】
【０００７】
図１は、本体ケース(１)と刃枠(３)を示している。
本体ケース(１)は手で持ち易い様に縦長に形成され、図２に示す如く、上端部はケースの長手方向と直交する方向に長い刃枠取付け部(13)が形成されている。
刃枠取付け部(13)は、後記する第１刃枠(31)の端面が被さる環状の平面(13a)と、第１刃枠(31)の内面に、嵌合クリアランスを存して嵌合する高さの低い壁面(13b)とからなる。
壁面(13b)は、第１刃枠(31)の内周面に沿う様に延びているが、複数箇所で分断されている。
本体ケース(１)の正面上部にＯＮ−ＯＦＦスイッチ(10)が配備されている。
前記刃枠取付け部(13)の内側に略楕円状のランド部(11)が設けられ、ランド部(11)の中央に凹部(14)が形成されている。
上記凹部(14)の底面を貫通して２本の内刃取付け軸(21)(21)が、ランド部(11)の長手方向と直交する方向に隣り合って突出している。
内刃取付け軸(21)(21)の先端には、内刃(２)(２)が該軸(21)(21)に対して振れ動き可能、軸方向にスライド可能、且つ脱着可能に取り付けられている。
内刃(２)は、バネ(22)によって外向きに付勢されている。
内刃(２)は、多数の円弧状小刃がランド部(11)の長手方向に並んでいる公知の構成である。
【０００８】
内刃取付け軸(21)(21)は、本体ケース(１)に内蔵した内刃駆動装置(５)に連繋されている。
内刃駆動装置(５)は、内刃取付け軸(21)(21)をランド部(11)の長手方向に往復移動させることができれば構成は問わない。
実施例の内刃駆動装置(５)は、図４に示す如く、モータ(51)の回転軸(52)に、２つの偏芯軸(53a)(53b)を有するカム軸(53)を連結し、各偏芯軸(53a)(53b)を、スライド部材(54)(55)の溝(54a)(55a)にスライド可能に嵌めている。
偏芯軸(53a)(53b)は、カム軸(53)の回転中心に対して１８０°ずれており、回転軸(52)の回転により、スライド部材(54)(55)は互いに反対方向に往復スライド移動する。
スライド部材(54)(55)に、内刃取付け軸(21)(21)がスライド部材(54)(55)に対して多少振れ動き可能に突設されている。
【０００９】
図４に示す如く、上記２つの内刃(２)(２)に被さる２つの外刃(４)(４)は、刃枠(３)に保持されている。
外刃(４)は、髭が貫通する多数の小孔を密なる間隔で開設した薄金属板を内刃(２)の円弧に対応して円弧状に彎曲させた公知の構成である。
刃枠(３)は、前記本体ケース(１)の刃枠取付け部(13)に嵌まる第１刃枠(31)と、該第１刃枠(31)に被さる第２刃枠(32)とによって構成される。
外刃(４)(４)は、前記内刃取付け軸(21)(21)の軸心方向にスライド可能且つ脱着可能に第２刃枠(32)に取り付けられている。
実施例の場合、第１刃枠(31)に対して第２刃枠(32)は固定状態に嵌合しているが、第１刃枠(31)に対して第２刃枠(32)を多少揺動可能に取り付けて、顔の凹凸に応じて第２刃枠(32)が自然に揺動する様にすることもできる。
【００１０】
本体ケース(１)の刃枠取付け部(13)の両端部に、刃枠(３)をロックするロック手段(７)(７)が配備される。
ロック手段(７)は、前記第１刃枠(31)の内面に設けた凹み部(33)に引っ掛かり可能なロック爪(71)と、該ロック爪(71)を外向きに付勢するバネ(72)と、ロック爪(71)と一体に形成され本体ケース(１)をスライド可能に貫通して側方に突出したロック解除片(73)とによって構成される。
刃枠(３)を本体ケース(１)の刃枠取付け部(13)に嵌合する際、ロック爪(71)は第１刃枠(31)の端面に押されてバネ(72)に抗して内方に移動し、第１刃枠(31)の端面が刃枠取付け部(13)の平面(13a)に当接したとき、ロック爪(71)が刃枠(３)の凹み部(33)に嵌まって、刃枠(３)をロックする。
ロック解除片(73)を押すと、ロック爪(71)が後退して刃枠(３)のロックが解除される。
【００１１】
刃枠取付け部(13)の内側に蓋板(６)が取り付けられる。
蓋板(６)はランド部(11)にビス(62)(62)にて固定され、ランド部(11)の外側の凹み部を覆う。蓋板(６)には、内刃取付け軸(21)(21)を該軸の運動に対して余裕のある状態で貫通させる窓孔(61)が開設されている。
又、蓋板(６)には、前記ロック手段(７)のロック爪(71)が移動する範囲で切欠(62)(62)が開設されている。
【００１２】
本発明の特徴は、図４に示す如く、本体ケース(１)と刃枠(３)との間に、防振部材(８)を介在させたことである。
防振部材(８)は、天然ゴム、合成ゴム等、防振動のための適度な硬さと弾性を有する部材で形成される。図２に示す如く、実施例の防振部材(８)は、縦部(81)の下端に横部(82)を有するＬ字状の小ブロック体を呈している。
本体ケース(１)には、刃枠取付け部(13)の両端寄りに２箇所づつ、該刃枠取付け部(13)を切り欠いて防振部材収容部(12)が形成されている。
防振部材収容部(12)に、防振部材(８)がその横部(82)を下側に且つ外向きにして収容されている。
図７に示す如く、防振部材収容部(12)は、防振部材(８)の横部(82)が嵌まる凹み(12a)と縦部(81)の背面及び両側面をガイドする縦溝状壁部(12b)を有している。
防振部材(８)の横部上面(82a)は、刃枠取付け部(13)の平面(13a)より上方に臨出し、防振部材(８)の縦部前面(81a)は、刃枠取付け部(13)の壁面(13b)よりも外側に臨出している。
防振部材(８)の横部(82)が刃枠取付け部(13)の平面(13a)から臨出する量は、刃枠(３)の端面が横部(82)を少し押圧した状態で前記ロック手段(７)による刃枠(３)のロックが可能な程度とする。
又、防振部材(８)の縦部(81)が刃枠取付け部(13)の壁面(13b)から臨出する量は、刃枠(３)が壁面(13b)を縦部(81)を内側に少し押圧した状態で、刃枠(３)が刃枠取付け部(13)に嵌まる程度とする。
前記蓋板(６)は、防振部材(８)の縦部(81)の前面側を除いて部分的に少し押圧気味に被さって、防振部材(８)が防振部材収容部(12)から脱出することを防止している。
【００１３】
然して、刃枠(３)を本体ケース(１)の刃枠取付け部(13)に嵌合する際に、第１刃枠(31)の下端側内面が、防振部材(８)の縦部(81)の前面(81a)を押圧気味に刃枠取付け部(13)の壁面(13b)に嵌まる。又、第１刃枠(31)の端面が防振部材(８)の横部(82)を押圧した状態で、ロック手段(７)のロック爪(71)が第１刃枠(31)の凹み部(33)に嵌まって、刃枠(３)をロック状態に本体ケース(１)に取り付けできる。
スイッチ(10)をＯＮにすれば、内刃駆動装置(５)が作動して、２つの内刃(２)(２)が互いに逆方向に往復移動して、外刃(４)の小孔に侵入した髭を、外刃(４)と内刃(２)が共同して剪断できる。
刃枠(３)と本体ケース(１)との間に介在させた防振部材(８)が緩衝して、本体ケース(１)から刃枠(３)側へ振動の伝達、及び刃枠(３)側から本体ケース側への振動の伝達を防止して、電気かみそり全体の振動を低減できる。
又、本体ケース(１)と刃枠(３)との間に防振部材(８)を介在させることで騒音を低減させることができる。
更に、第１刃枠(31)と本体ケース(１)の刃枠取付け部(13)に、寸防誤差による嵌合不良が生じる様な場合でも、刃枠(３)に密接する防振部材(８)の弾性変形によって、寸法誤差を吸収して嵌合不良をなくすことができる。
【００１４】
上記実施例の防振部材(８)は、個々の防振部材(８)が、刃枠(３)の端面と内面の両方に密接するため、少ない個数で効果滴に振動と騒音の低減に効果を奏するが、防振部材(８)が刃枠(３)の内面のみ或いは端面のみに密接する様にしても、振動や騒音の発生を軽減することに効果がある。
図７は、防振部材(８)の他の実施例を示し、防振部材(８)は上から見てＴ字状小ブロック体に形成されている。防振部材(８)は、刃枠(３)の端面が該防振部材(８)の上面(8a)に部分的に密接する様に、本体ケース(１)の防振部材収容部(12)に取り付けられる。或いは、防振部材(８)の先端面(8b)が刃枠(３)の内面に密接する様に、防振部材収容部(12)に取り付けられる。
尚、本発明の実施において、防振部材(８)の個数は、複数に限らず１個であっても、振動や騒音の軽減できる。
防振部材(８)を複数個配備する場合、一部の防振部材(８)は刃枠(３)の内面に当接する様に、残りの防振部材(８)は、刃枠(３)の端面に当接する様に構成することもできる。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
例えば、本願発明は、内刃が回転する方式の電気かみそりにも実施可能である。
【図面の簡単な説明】
【００１６】
【図１】本体ケースと刃枠の斜面図である。
【図２】刃枠、蓋板、防振部材を分解した状態の斜視図である。
【図３】内刃を省略した本体ケースの平面図である。
【図４】電気かみそりの要部断面図である。
【図５】内刃及び蓋板を省略した本体ケースの平面図である。
【図６】蓋板の平面図である。
【図７】防振部材と刃枠の密接状態を示す拡大断面図である。
【図８】他の実施例の防振部材の取付け部分の分解斜視図である。
【符号の説明】
【００１７】
１  本体ケース
12  防振部材収容部
13  刃枠取付け部
２  内刃
21  内刃取付け軸
３  刃枠
31  第１刃枠
32  第２刃枠
４  外刃
５  内刃駆動装置
７  ロック手段
８  防振部材
【図１】
2005304646.tif 000003
【図２】
2005304646.tif 000004
【図３】
2005304646.tif 000005
【図４】
2005304646.tif 000006
【図５】
2005304646.tif 000007
【図６】
2005304646.tif 000008
【図７】
2005304646.tif 000009
【図８】
2005304646.tif 000010